(57)【要約】【課題】異なる温度のお湯がすぐ得られるようにするとともに、大容量タイプでのエネルギーコストを低減できるようにする。【解決手段】高温のお湯を貯湯する高温用内容器２Ａと、該高温用内容器２Ａに貯湯されるお湯より低い温度のお湯を貯湯する低温用内容器２Ｂとを備えた電気貯湯容器において、高温用内容器２Ａに給水された水が高温用加熱手段３Ａにより加熱されて湯沸かしされた後、該高温用内容器２Ａ内の高温（例えば、９８℃）のお湯が湯移行手段１０を介して低温用内容器２Ｂへ移行せしめられ、低温用加熱手段３Ｂにより低温（例えば、６０℃）のお湯として貯湯されるようにし、大容量タイプではエネルギーコストを大幅に低減でき且つ高温用内容器２Ａおよび低温用内容器２Ｂからそれぞれ独立に給湯できるようにしている。【選択図】　　　　図２
2004121456.tif 000002
【特許請求の範囲】
【請求項１】
高温のお湯を貯湯する高温用内容器と、該高温用内容器に貯湯されるお湯より低い温度のお湯を貯湯する低温用内容器と、前記高温用内容器内の水を加熱して湯沸かし後に保温する高温用加熱手段と、前記低温用内容器内のお湯を加熱して保温する低温用加熱手段と、前記高温用および低温用内容器の温度をそれぞれ検出する高温用および低温用温度検出手段と、前記高温用および低温用内容器内のお湯をそれぞれ外部へ注出する高温用および低温用給湯手段とを備えた電気貯湯容器であって、通常の給水は前記高温用内容器に対して行い、該高温用内容器で湯沸かしを行った後に、得られた高温のお湯を前記低温用内容器へ随時移行させる湯移行手段を付設したことを特徴とする電気貯湯容器。
【請求項２】
前記湯移行手段による前記低温用内容器へのお湯の移行を、該低温用内容器内のお湯が満水位に達した時点で停止するように構成したことを特徴とする前記請求項１記載の電気貯湯容器。
【請求項３】
前記高温用給湯手段による給湯と前記湯移行手段による湯移行とを択一的に切り換える切換弁を付設したことを特徴とする前記請求項１および２のいずれか一項記載の電気貯湯容器。
【請求項４】
前記高温用給湯手段により給湯される湯と前記低温用給湯手段により給湯される湯とを、適宜混合比率で混合させて給湯できるように構成したことを特徴とする前記請求項１、２および３のいずれか一項記載の電気貯湯容器。
【請求項５】
前記低温用加熱手段を、前記高温用内容器における湯沸かしが終了した後に通電開始するように構成したことを特徴とする前記請求項１、２、３および４のいずれか一項記載の電気貯湯容器。
【請求項６】
前記低温用加熱手段のＯＮ／ＯＦＦハンチングの程度により前記低温用内容器の空焚き検知を行い、該空焚き検知の際には前記低温用加熱手段への通電を停止するように構成したことを特徴とする前記請求項１、２、３、４および５のいずれか一項記載の電気貯湯容器。
【請求項７】
前記低温用温度検出手段による検出温度が急激に上昇した場合には、前記低温用加熱手段への通電を再開するように構成したことを特徴とする前記請求項６記載の電気貯湯容器。
【発明の詳細な説明】
【０００１】
【発明の属する技術分野】
本願発明は、二つの貯湯用内容器を有する電気貯湯容器に関するものである。
【０００２】
【従来の技術】
所望の温度のお湯を給湯する電気貯湯容器は、家庭に広く普及しているが、一般的な家庭用の電気貯湯容器は、１個の貯湯用内容器を有する１タンク式のものであった。
【０００３】
近年、大容量の電気貯湯容器に対するユーザの要求が高まってきており、二つの内容器を備えた電気貯湯容器が開発されるようになってきている。
【０００４】
例えば、所定量の水が収容される給水タンクと、加熱手段が付設された湯沸かしタンクとを備え、前記給水タンクの水を前記湯沸かしタンクに随時供給するようにした電気貯湯容器が提案されている（特許文献１参照）。
【０００５】
また、貯湯温度の異なる二つの内容器を備え、それぞれの内容器からお湯を外部へ給湯できるように構成された電気貯湯容器も提案されている（特許文献２参照）。
【０００６】
【特許文献１】
特開２０００−２５３９９８公報。
【０００７】
【特許文献２】
特開平９−１４０５８８号公報。
【０００８】
【発明が解決しようとする課題】
ところが、前者の場合、大容量化は可能であるが、お湯を沸かして保温する作用を有するのは湯沸かしタンクのみであるため、設定された保温温度のお湯のみしか得られないという不具合がある。
【０００９】
例えば、９８℃保温の場合には、９８℃のお湯しか給湯できず、ユーザが緑茶（玉露）の抽出に適した約６０℃のお湯を必要とするときには、給湯されたお湯を冷ますしかなく、また、６０℃保温の場合には、６０℃のお湯しか給湯できず、ユーザがコーヒ等の抽出に適した９５℃以上のお湯を必要とするときには、再加熱するしかなく、いずれの場合においても、使用までに所定の時間を待たなければならないという不具合が存する。
【００１０】
一方、後者の場合、各内容器から異なる貯湯温度のお湯を給湯することはできるものの、各内容器に給水された水を、それぞれの内容器において湯沸かしして保温する必要があり、加熱手段において湯沸かしに要する消費電力が１タンク式のものとほぼ同等となり、エネルギーコストが増大するという不具合が存する。
【００１１】
本願発明は、上記の点に鑑みてなされたもので、異なる温度のお湯がすぐ得られるようにするとともに、大容量タイプでのエネルギーコストを低減できるようにすることを目的としている。
【００１２】
【課題を解決するための手段】
本願発明では、上記課題を解決するための第１の手段として、高温のお湯を貯湯する高温用内容器と、該高温用内容器に貯湯されるお湯より低い温度のお湯を貯湯する低温用内容器と、前記高温用内容器内の水を加熱して湯沸かし後に保温する高温用加熱手段と、前記低温用内容器内のお湯を加熱して保温する低温用加熱手段と、前記高温用および低温用内容器の温度をそれぞれ検出する高温用および低温用温度検出手段と、前記高温用および低温用内容器内のお湯をそれぞれ外部へ注出する高温用および低温用給湯手段とを備えた電気貯湯容器において、通常の給水は前記高温用内容器に対して行い、該高温用内容器で湯沸かしを行った後に、得られた高温のお湯を前記低温用内容器へ随時移行させる湯移行手段を付設している。
【００１３】
上記のように構成したことにより、高温用内容器に給水された水が高温用加熱手段により加熱されて湯沸かしされた後、該高温用内容器内の高温（例えば、９８℃）のお湯が湯移行手段を介して低温用内容器へ移行せしめられ、低温用加熱手段により低温（例えば、６０℃）のお湯として貯湯されることとなる。なお、高温用内容器においては高温用加熱手段により高温（例えば、９８℃）のお湯が貯湯されることとなる。従って、湯沸かしは高温用内容器側のみで行われ、低温用内容器側においては低温（例えば、６０℃）での保温のみとされることとなり、エネルギーコストを大幅に低減できる。また、高温用内容器および低温用内容器からは、高温用給湯手段および低温用給湯手段を介して高温（例えば、９８℃）のお湯および低温（例えば、６０℃）のお湯がそれぞれ給湯されることとなり、ユーザが必要とする温度のお湯をすぐに給湯することができる。
【００１４】
本願発明では、さらに、上記課題を解決するための第２の手段として、上記第１の手段を備えた電気貯湯容器において、前記湯移行手段による前記低温用内容器へのお湯の移行を、該低温用内容器内のお湯が満水位に達した時点で停止するように構成することもでき、そのように構成した場合、高温用内容器から低温用内容器へのお湯の移行が低温用内容器内のお湯が満水位になった時点で停止されることとなり、高温用内容器から低温用内容器へのお湯の移行を過不足なく行うことができる。
【００１５】
本願発明では、さらに、上記課題を解決するための第３の手段として、上記第１又は第２の手段を備えた電気貯湯容器において、前記高温用給湯手段による給湯と前記湯移行手段による湯移行とを択一的に切り換える切換弁を付設することもでき、そのように構成した場合、切換弁の切換によって高温用内容器からの給湯と高温用内容器から低温用内容器へのお湯の移行とを択一的に切り換えることができることとなり、通路構造が簡略化できる。
【００１６】
本願発明では、さらに、上記課題を解決するための第４の手段として、上記第１、第２又は第３の手段を備えた電気貯湯容器において、前記高温用給湯手段により給湯されるお湯と前記低温用給湯手段により給湯されるお湯とを、適宜混合比率で混合させて給湯できるように構成することもでき、そのように構成した場合、高温用内容器に貯湯されているお湯の温度（例えば、９８℃）と低温用内容器に貯湯されているお湯の温度（例えば、６０℃）との中間の温度のお湯を必要に応じて給湯できることとなり、ユーザの多様な要求に対応できる。
【００１７】
本願発明では、さらに、上記課題を解決するための第５の手段として、上記第１、第２、第３又は第４の手段を備えた電気貯湯容器において、前記低温用加熱手段を、前記高温用内容器における湯沸かしが終了した後に通電開始するように構成することもでき、そのように構成した場合、高温用内容器における湯沸かしが終了して、高温用内容器から低温用内容器へのお湯の移行が開始される時点で低温用加熱手段への通電が開始されることとなり、低温用加熱手段への通電を必要最低減に抑えることができ、エネルギーコストのさらなる低減を図ることができるとともに、低温用内容器における空焚きをも防止できる。
【００１８】
本願発明では、さらに、上記課題を解決するための第６の手段として、上記第１、第２、第３、第４又は第５の手段を備えた電気貯湯容器において、前記低温用加熱手段のＯＮ／ＯＦＦハンチングの程度により前記低温用内容器の空焚き検知を行い、該空焚き検知の際には前記低温用加熱手段への通電を停止するように構成することもでき、そのように構成した場合、低温用内容器内のお湯がなくなって、低温用加熱手段が激しいＯＮ／ＯＦＦハンチングを起こすと、低温用加熱手段への通電が停止されることとなり、低温用内容器の空焚きを未然に防止することができる。
【００１９】
本願発明では、さらに、上記課題を解決するための第７の手段として、上記第６の手段を備えた電気貯湯容器において、前記低温用温度検出手段による検出温度が急激に上昇した場合には、前記低温用加熱手段への通電を再開するように構成することもでき、そのように構成した場合、高温用内容器から湯移行手段を介して高温（例えば、９８℃）のお湯が低温用内容器へ移行せしめられると、低温用温度検出手段が移行せしめられた高温のお湯の温度（例えば、９８℃）を検出する（即ち、検出温度が急激に上昇する）が、この時点から低温用加熱手段への通電が再開されるため、高温用内容器から低温用内容器へのお湯の移行後に低温用加熱手段への通電がされることとなり、低温用内容器において空焚きが生ずることはなくなる。
【００２０】
【発明の実施の形態】
以下、添付の図面を参照して、本願発明の好適な実施の形態について説明する。
【００２１】
この電気貯湯容器は、図１および図２に示すように、高温（例えば、９８℃）のお湯を貯湯する高温用内容器２Ａと、該高温用内容器２Ａに貯湯されるお湯より低い温度（例えば、６０℃）のお湯を貯湯する低温用内容器２Ｂと、前記高温用内容器２Ａ内の水を加熱して湯沸かし後に保温する高温用加熱手段として作用する高温用電気ヒータ３Ａと、前記低温用内容器２Ｂ内のお湯を加熱して保温する低温用加熱手段として作用する低温用電気ヒータ３Ｂと、前記高温用および低温用内容器２Ａ，２Ｂの温度をそれぞれ検出する高温用および低温用温度検出手段として作用する温度センサー４Ａ，４Ｂと、前記高温用および低温用内容器２Ａ，２Ｂ内のお湯をそれぞれ外部へ注出する高温用および低温用給湯手段５Ａ，５Ｂとを容器本体１内に備えて構成されている。
【００２２】
前記高温用内容器２Ａは、例えばステンレス製の真空二重容器とされる一方、前記低温用内容器２Ｂは、例えばステンレス製の真空二重容器あるいは真空断熱材を内蔵したステンレス製の断熱二重容器とされており、両内容器２Ａ，２Ｂの底部は、一重部２Ａａ，２Ｂａとされている。本実施の形態においては、前記高温用内容器２Ａの容量は、前記低温用内容器２Ｂの容量より大きくされているが、両者を同容量としてもよい。
【００２３】
前記高温用および低温用電気ヒータ３Ａ，３Ｂは、前記高温用および低温用内容器２Ａ，２Ｂにおける一重部２Ａａ，２Ｂａの下面にそれぞれ接合されている。
【００２４】
前記温度センサー４Ａ，４Ｂは、前記高温用および低温用内容器２Ａ，２Ｂにおける一重部２Ａａ，２Ｂａの中央部に対して下面からそれぞれ接した状態で配設されている。
【００２５】
前記高温用給湯手段５Ａは、前記高温用内容器２Ａの一重部２Ａａから前記容器本体１の前部上方に形成されたひさし部１ａ（図１参照）から下方に向かって開口する吐出口３３に至る通路７と該通路７における前記高温用内容器２Ａの直下方に介設された電動ポンプ６Ａとによって構成されている。
【００２６】
一方、前記低温用給湯手段５Ｂは、前記低温用内容器２Ｂの一重部２Ｂａから前記吐出口３３に至る通路８と該通路８における前記低温用内容器２Ｂの直下方に介設された電動ポンプ６Ｂとによって構成されている。つまり、低温用給湯手段５Ｂを構成する通路８は、高温用給湯手段５Ａを構成する通路７と合流することとなっており、合流後においては通路７と通路８とは鉛直方向の直管部９を共用することとなっているのである。
【００２７】
また、この電気貯湯容器には、前記高温用内容器２Ａに貯湯される高温（例えば、９８℃）のお湯を前記低温用内容器２Ｂへ随時移行させる湯移行手段１０が付設されている。該湯移行手段１０は、前記高温用給湯手段５Ａを構成する通路７における前記電動ポンプ６Ａの下流側において切換弁１１を介して分岐して前記低温用内容器２Ｂの上方に臨まされた分岐通路１２と、前記電動ポンプ６Ａとによって構成されている。つまり、湯移行手段１０と前記高温用給湯手段２Ａとは、電動ポンプ６Ａおよび前記切換弁１１から上流側の通路を共用することとなっているのである。
【００２８】
前記切換弁１１は、前記高温用内容器２Ａに貯湯されているお湯を吐出口３３（換言すれば、高温用給湯手段５Ａ側）あるいは低温用内容器２Ｂ側（換言すれば、湯移行手段１０側）へ択一的に給湯し得るように切り換える作用をなす。
【００２９】
前記直管部９には、前記低温用内容器２Ｂの満水位を検知する水位センサー１３が設けられ、前記分岐通路１２には、前記高温用内容器２Ａ内のお湯がなくなって空焚き状態となったことを検知する水位センサー１４と前記高温用内容器２Ａ内のお湯の量が減少して要給水状態となったことを検知する水位センサー１５とが設けられている。
【００３０】
前記容器本体１のひさし部１ａの上面には、図１に示すように、給湯キー１６、ロック解除キー１７、給湯温度設定キー１８、高温用液晶表示装置１９Ａ、低温用液晶表示装置１９Ｂおよび要給水表示灯２０を備えた操作パネル２１が設けられている。
【００３１】
図１において、符号２２は容器本体１の蓋体、２３は蒸気排出口、２４は蓋体２２の開閉を司る開閉ロック機構、２５は水量表示用の覗窓、２６は持ち運び用のハンドルである。
【００３２】
上記構成の電気貯湯容器における電気的要素は、図３に示すように結線されている。なお、既に説明した電気的要素については同一の符号を付して、詳細な説明を省略する。
【００３３】
図３において、符号２７は商用交流電源、２８はマイクロコンピュータユニット（以下、マイコンと略称する）、２９は湯沸かし時に高温用電気ヒータ３Ａへの通電制御を行うリレー、３０は保温時に高温用電気ヒータ３Ａへの通電制御を行うトライアック、３１は低温用電気ヒータ３Ｂへの通電制御を行うトライアック、３２は高温用内容器２Ａの空焚き状態を警告するブザーである。
【００３４】
前記マイコン２８は、前記各種センサー類４Ａ、４Ｂ、１３、１４、１５および各種キー１６、１７、１８から入力される信号に基づいて各種演算処理を行い、電動ポンプ６Ａ，６Ｂ、切換弁１１、液晶表示装置１９Ａ，１９Ｂ、要給水表示灯２０、リレー２９、トライアック３０，３１およびブザー３２へ制御信号を出力することとなっている。
【００３５】
上記のように構成された電気貯湯容器は、次のように作用する。
【００３６】
まず、高温用内容器２Ａに水を入れて電源を投入すると、高温用電気ヒータ３Ａにより高温用内容器２Ａ内の水が沸かされ、沸騰すると保温に切り換えられて、所定温度（例えば、９８℃）のお湯Ｗ１として保温される。上記加熱制御は、温度センサー４Ａからの温度情報に基づいて従来公知の制御プログラムに従ってマイコン２８が行う。
【００３７】
高温用内容器２Ａでの湯沸かしが終了すると、電動ポンプ６Ａが駆動開始され、高温用内容器２Ａ内の高温（例えば、９８℃）のお湯が湯移行手段１０を介して低温用内容器２Ｂへ移行せしめられ、低温用電気ヒータ３Ｂにより低温（例えば、６０℃）のお湯Ｗ２として貯湯される。この時、切換弁１１は通路７を閉止するように切り換えられ、電動ポンプ６Ｂは駆動されない。この湯移行手段１０によるお湯の移行は、低温用内容器２Ｂ内の湯量が満水位となったことを水位センサー１３が検知した時点で電動ポンプ６Ａの駆動が停止されることにより終了する。上記保温加熱制御は、温度センサー４Ｂからの温度情報に基づいて従来公知の制御プログラムに従ってマイコン２８が行う。
【００３８】
そして、ユーザが高温（例えば、９８℃）のお湯を必要とするときには、給湯温度設定キー１８により給湯温度（例えば、９８℃）を設定し、ロック解除キー１７をＯＮ操作した後に給湯キー１６をＯＮ操作すると、マイコン２８からの制御信号により、切換弁１１が通路７を導通するように切り換えられるとともに、電動ポンプ６Ａが駆動開始され、高温用給湯手段５Ａを介して高温（例えば、９８℃）のお湯が給湯される。この時、電動ポンプ６Ｂは駆動されない。
【００３９】
また、ユーザが低温（例えば、６０℃）のお湯を必要とするときには、給湯温度設定キー１８により給湯温度（例えば、６０℃）を設定し、ロック解除キー１７をＯＮ操作した後に給湯キー１６をＯＮ操作すると、マイコン２８からの制御信号により、切換弁１１が通路７を閉止するように切り換えられるとともに、電動ポンプ６Ｂが駆動開始され、低温用給湯手段５Ｂを介して低温（例えば、６０℃）のお湯が給湯される。この時、電動ポンプ６Ａは駆動されない。
【００４０】
さらに、ユーザが中温（例えば、７０℃）のお湯を必要とするときには、給湯温度設定キー１８により給湯温度（例えば、７０℃）を設定し、ロック解除キー１７をＯＮ操作した後に給湯キー１６をＯＮ操作すると、マイコン２８からの制御信号により、切換弁１１が通路７を導通するように切り換えられるとともに、電動ポンプ６Ａ，６Ｂが駆動開始されるが、電動ポンプ６Ａの吐出量Ｖ１と電動ポンプ６Ｂの吐出量Ｖ２とが次式のように決定され、このような吐出量Ｖ１，Ｖ２が得られるように電動ポンプ６Ａ，６Ｂの回転数が制御される。
【００４１】
９８Ｖ１＋６０Ｖ２＝７０（Ｖ１＋Ｖ２）
すると、高温用および低温用給湯手段５Ａ，５Ｂを介して所定温度（例えば、７０℃）のお湯が給湯される。
【００４２】
上記のようにして給湯が繰り返されると、高温用内容器２Ａおよび低温用内容器２Ｂ内のお湯が減ってくるが、低温用内容器２Ｂ内のお湯が満水位より減ると、湯移行手段１０が作動して高温用内容器２Ａから低温用内容器２Ｂへ該低温用内容器２Ｂ内のお湯が満水位となるまでお湯が移行される。なお、高温用内容器２Ａにおける湯沸かしが終了した後においては、何らかの理由により高温用電気ヒータ３Ａへの通電が停止されても、湯移行手段１０による高温用内容器２Ａから低温用内容器２Ｂへのお湯の移行は中止されることなく、続行される。
【００４３】
そして、上記お湯の移行によって高温用内容器２Ａ内のお湯がさらに減少して、水位センサー１５の位置（要給水水位）まで水位が低下してくると、要給水表示灯２０が点灯され、ユーザに高温用内容器２Ａへの給水を促す。そこで、高温用内容器２Ａへの給水が実行されると、高温用電気ヒータ３Ａにより再度湯沸かしが行われる。なお、高温用内容器２Ａからの高温（例えば、９８℃）のお湯の給湯によって、水位が低下した場合にも、要給水表示灯２０が点灯する。
【００４４】
上記した要給水表示灯２０の点灯にもかかわらず、ユーザが高温用内容器２Ａへの給水を行わなかった場合には、高温用内容器２Ａ内のお湯がさらに減少し、ついには、空焚きが生じるおそれのある水位まで減少することがあるが、この場合には、当該水位を水位センサー１４が検知して高温用電気ヒータ３Ａへの通電が停止されるとともに、マイコン２８からの信号によりブザー３２が吹鳴してユーザに警告を発する。
【００４５】
ところで、電動ポンプ６Ａの故障等により低温用内容器２Ｂへのお湯の移行がなされないままで、低温用内容器２Ｂ内のお湯が消費された場合、低温用内容器２Ｂ内の湯量が減少して空焚き状態となることがあるが、その際には、低温用電気ヒータ３ＢのＯＮ／ＯＦＦハンチングの程度により空焚き検知が行われ、該空焚き検知により低温用電気ヒータ３Ｂへの通電が停止される。
【００４６】
上記したように、本実施の形態においては、湯沸かしは高温用内容器２Ａ側のみで行われ、低温用内容器２Ｂ側においては低温（例えば、６０℃）での保温のみとされることとなり、大容量ではエネルギーコストを大幅に低減できる。また、高温用内容器２Ａおよび低温用内容器２Ｂからは、高温用給湯手段５Ａおよび低温用給湯手段５Ｂを介して高温（例えば、９８℃）のお湯および低温（例えば、６０℃）のお湯がそれぞれ給湯されることとなり、ユーザが必要とする温度のお湯をすぐに給湯することができる。
【００４７】
また、高温用内容器２Ａから低温用内容器２Ｂへのお湯の移行が低温用内容器２Ｂ内のお湯が満水位になった時点で停止されることとなっているため、高温用内容器２Ａから低温用内容器２Ｂへのお湯の移行を過不足なく行うことができる。
【００４８】
また、切換弁１１の切換によって高温用内容器２Ａからの給湯と高温用内容器２Ａから低温用内容器２Ｂへのお湯の移行とを択一的に切り換えることができることとなっているため、通路構造が簡略化できる。
【００４９】
また、高温用内容器２Ａに貯湯されているお湯の温度（例えば、９８℃）と低温用内容器２Ｂに貯湯されているお湯の温度（例えば、６０℃）との中間の温度のお湯を必要に応じて給湯できることとなっているため、ユーザの多様な要求に対応できる。
【００５０】
なお、高温用内容器２Ａにおける湯沸かしが終了して、高温用内容器２Ａから低温用内容器２Ｂへのお湯の移行が開始される時点で低温用電気ヒータ３Ｂへの通電が開始されるようにすることもできる。このようにすると、低温用電気ヒータ３Ｂへの通電を必要最低減に抑えることができ、エネルギーコストのさらなる低減を図ることができるとともに、低温用内容器２Ｂにおける空焚きをも防止できる。
【００５１】
また、高温用内容器２Ａから湯移行手段１０を介して高温（例えば、９８℃）のお湯が低温用内容器２Ｂへ移行せしめられると、温度センサー４Ａが移行せしめられた高温のお湯の温度（例えば、９８℃）を検出する（即ち、検出温度が急激に上昇する）が、この時点から低温用電気ヒータ３Ｂへの通電が再開されるようにすることもできる。このようにすると、高温用内容器２Ａから低温用内容器２Ｂへのお湯の移行後に低温用電気ヒータ３Ｂへの通電がされることとなり、低温用内容器２Ｂにおいて空焚きが生ずることはなくなる。
【００５２】
【発明の効果】
本願発明の第１の手段によれば、高温のお湯を貯湯する高温用内容器と、該高温用内容器に貯湯されるお湯より低い温度のお湯を貯湯する低温用内容器と、前記高温用内容器内の水を加熱して湯沸かし後に保温する高温用加熱手段と、前記低温用内容器内のお湯を加熱して保温する低温用加熱手段と、前記高温用および低温用内容器の温度をそれぞれ検出する高温用および低温用温度検出手段と、前記高温用および低温用内容器内のお湯をそれぞれ外部へ注出する高温用および低温用給湯手段とを備えた電気貯湯容器において、通常の給水は前記高温用内容器に対して行い、該高温用内容器で湯沸かしを行った後に、得られた高温のお湯を前記低温用内容器へ随時移行させる湯移行手段を付設して、高温用内容器に給水された水が高温用加熱手段により加熱されて湯沸かしされた後、該高温用内容器内の高温なお湯が湯移行手段を介して低温用内容器へ移行せしめられ、低温用加熱手段により低温（例えば、６０℃）のお湯として貯湯されるようにしたので、湯沸かしは高温用内容器側のみで行われ、低温用内容器側においては低温（例えば、６０℃）での保温のみとされることとなり、大容量タイプではエネルギーコストを大幅に低減できるという効果がある。また、高温用内容器および低温用内容器からは、高温用給湯手段および低温用給湯手段を介して高温（例えば、９８℃）のお湯および低温（例えば、６０℃）のお湯がそれぞれ給湯されることとなり、ユーザが必要とする温度のお湯をすぐに給湯することができるという効果もある。
【００５３】
本願発明の第２の手段におけるように、上記第１の手段を備えた電気貯湯容器において、前記湯移行手段による前記低温用内容器へのお湯の移行を、該低温用内容器内のお湯が満水位に達した時点で停止するように構成することもでき、そのように構成した場合、高温用内容器から低温用内容器へのお湯の移行が低温用内容器内のお湯が満水位になった時点で停止されることとなり、高温用内容器から低温用内容器へのお湯の移行を過不足なく行うことができる。
【００５４】
本願発明の第３の手段におけるように、上記第１又は第２の手段を備えた電気貯湯容器において、前記高温用給湯手段による給湯と前記湯移行手段による湯移行とを択一的に切り換える切換弁を付設することもでき、そのように構成した場合、切換弁の切換によって高温用内容器からの給湯と高温用内容器から低温用内容器へのお湯の移行とを択一的に切り換えることができることとなり、通路構造が簡略化できる。
【００５５】
本願発明の第４の手段におけるように、上記第１、第２又は第３の手段を備えた電気貯湯容器において、前記高温用給湯手段により給湯されるお湯と前記低温用給湯手段により給湯されるお湯とを、適宜混合比率で混合させて給湯できるように構成することもでき、そのように構成した場合、高温用内容器に貯湯されているお湯の温度（例えば、９８℃）と低温用内容器に貯湯されているお湯の温度（例えば、６０℃）との中間の温度のお湯を必要に応じて給湯できることとなり、ユーザの多様な要求に対応できる。
【００５６】
本願発明の第５の手段におけるように、上記第１、第２、第３又は第４の手段を備えた電気貯湯容器において、前記低温用加熱手段を、前記高温用内容器における湯沸かしが終了した後に通電開始するように構成することもでき、そのように構成した場合、高温用内容器における湯沸かしが終了して、高温用内容器から低温用内容器へのお湯の移行が開始される時点で低温用加熱手段への通電が開始されることとなり、低温用加熱手段への通電を必要最低減に抑えることができ、エネルギーコストのさらなる低減を図ることができるとともに、低温用内容器における空焚きをも防止できる。
【００５７】
本願発明の第６の手段におけるように、上記第１、第２、第３、第４又は第５の手段を備えた電気貯湯容器において、前記低温用加熱手段のＯＮ／ＯＦＦハンチングの程度により前記低温用内容器の空焚き検知を行い、該空焚き検知の際には前記低温用加熱手段への通電を停止するように構成することもでき、そのように構成した場合、低温用内容器内のお湯がなくなって、低温用加熱手段が激しいＯＮ／ＯＦＦハンチングを起こすと、低温用加熱手段への通電が停止されることとなり、低温用内容器の空焚きを未然に防止することができる。
【００５８】
本願発明の第７の手段におけるように、上記第６の手段を備えた電気貯湯容器において、前記低温用温度検出手段による検出温度が急激に上昇した場合には、前記低温用加熱手段への通電を再開するように構成することもでき、そのように構成した場合、高温用内容器から湯移行手段を介して高温（例えば、９８℃）のお湯が低温用内容器へ移行せしめられると、低温用温度検出手段が移行せしめられた高温なのお湯の温度（例えば、９８℃）を検出する（即ち、検出温度が急激に上昇する）が、この時点から低温用加熱手段への通電が再開されるため、高温用内容器から低温用内容器へのお湯の移行後に低温用加熱手段への通電がされることとなり、低温用内容器において空焚きが生ずることはなくなる。
【図面の簡単な説明】
【図１】本願発明の実施の形態にかかる電気貯湯容器の斜視図である。
【図２】本願発明の実施の形態にかかる電気貯湯容器の概略断面図である。
【図３】本願発明の実施の形態にかかる電気貯湯容器における電気的要素の結線図である。
【符号の説明】
１は容器本体、２Ａは高温用内容器、２Ｂは低温用内容器、３Ａは高温用加熱手段（高温用電気ヒータ）、３Ｂは低温用加熱手段（低温用電気ヒータ）、４Ａは高温用温度検出手段（温度センサー）、４Ｂは低温用温度検出手段（温度センサー）、５Ａは高温用給湯手段、５Ｂは低温用給湯手段、６Ａ，６Ｂは電動ポンプ、７，８は通路、９は直管部、１０は湯移行手段、１１は切換弁、１２は分岐通路、１３，１４，１５は水位センサー、２８はマイクロコンピュータユニット（マイコン）。
【図１】
2004121456.tif 000003
【図２】
2004121456.tif 000004
【図３】
2004121456.tif 000005